(57)【要約】【課題】主電源の遮断を伴う点検を行う場合であっても、利用者に点検状態であることを認識させることができるエレベータ表示システムを提供する。【解決手段】エレベータの乗りかごを運行制御する制御部と、エレベータの乗場に設けられ、制御部で制御される乗場表示器と、制御部に電源供給する通常電源と、この通常電源を電源断とした場合、乗場表示器に電源供給する非常用電源と、常時は通常電源側にＯＮ状態にされ、通常電源を遮断して行うエレベータの点検時に非常用電源側にＯＮ状態にされ、通常電源から非常用電源へ乗場表示器に対する電源供給源を切り換える電源遮断用点検スイッチとを備える。【選択図】図１
2011195206.tif 000002
【特許請求の範囲】
【請求項１】
エレベータの乗りかごを運行制御する制御部と、
エレベータの乗場に設けられ、前記制御部で制御される乗場表示器と、
前記制御部に電源供給する通常電源と、
この通常電源を電源断とした場合、前記乗場表示器に電源供給する非常用電源と、
常時は前記通常電源側にＯＮ状態にされ、前記通常電源を遮断して行うエレベータの点検時に前記非常用電源側にＯＮ状態にされ、前記通常電源から前記非常用電源へ前記乗場表示器に対する電源供給源を切り換える電源遮断用点検スイッチと、
を備えたことを特徴とするエレベータ用表示システム。
【請求項２】
前記乗場表示器は、エレベータの利用者が乗場で乗場呼びボタンを操作した場合に点灯して、エレベータが点検中である旨を表示することを特徴とする請求項１記載のエレベータ用表示システム。
【請求項３】
前記乗場表示器は、所定時間点灯後に、消灯することを特徴とする請求項２記載のエレベータ用表示システム。
【請求項４】
前記乗場表示器は、エレベータの点検作業中には、エレベータが点検中である旨を表示することを特徴とする請求項１記載のエレベータ用表示システム。
【請求項５】
前記非常用電源は、前記通常電源から充電される蓄電池であることを特徴とする請求項１乃至請求項４のいずれか１項に記載のエレベータ用表示システム。
【請求項６】
前記蓄電池は、鉛蓄電池またはアルカリ蓄電池であることを特徴とする請求項５記載のエレベータ用表示システム。
【発明の詳細な説明】
【技術分野】
【０００１】
本発明は、エレベータ用表示システムに関するものである。
【背景技術】
【０００２】
エレベータは、定期的に点検が実施されるが、点検中は、乗客はエレベータを利用することができない。そのため、利用者に、当該エレベータが点検を開始するあるいは点検中であることを了知させる必要がある。
【０００３】
従来、エレベータの点検状態を表示するのに、各階乗場に点検中であることを記した点検札を置いていたが、点検札の配置や回収は煩雑な作業となる。
【０００４】
そこで、エレベータ乗場に設けられている乗場位置を表示する液晶表示器を利用して、エレベータの点検等を、主制御器からの指令で各階乗場に表示にすることが提案されている（例えば、特許文献１参照。）。これは、エレベータの乗りかごを運行制御する制御回路に接続された乗場位置表示器を設け、点検作業を開始する前にＯＮ状態にされ、制御回路を介して呼び登録を禁止せずに乗場位置表示器に点検作業が開始される旨の報知を行なう第１の点検スイッチと、点検作業を行なう際にＯＮ状態にされ、制御回路を介して呼び登録を禁止してエレベータ利用者の乗り入れを禁止するとともに乗場位置表示器に点検作業状態にある旨の文字を表示する第２の点検スイッチとを備えるものである。
【先行技術文献】
【特許文献】
【０００５】
【特許文献１】特開２００５−６７８３８号公報
【発明の概要】
【発明が解決しようとする課題】
【０００６】
しかしながら、エレベータの点検の為に全ての電源を切る必要のある場合には、乗場の表示器に供給される電源も遮断される。その場合には、表示器に点検中である旨が表示できなくなり、エレベータの利用者に不便となるという問題があった。
【０００７】
そこで、本発明は上記した点に鑑みてなされたもので、全ての電源を切る必要がある場合でも、点検中等の状況を表示し、エレベータ利用者の便宜を図ることができるエレベータ用表示システムを得ることを目的とする。
【課題を解決するための手段】
【０００８】
本発明の一態様によれば、エレベータの乗りかごを運行制御する制御部と、エレベータの乗場に設けられ、前記制御部で制御される乗場表示器と、前記制御部に電源供給する通常電源と、この通常電源を電源断とした場合、前記乗場表示器に電源供給する非常用電源と、常時は前記通常電源側にＯＮ状態にされ、前記通常電源を遮断して行うエレベータの点検時に前記非常用電源側にＯＮ状態にされ、前記通常電源から前記非常用電源へ前記乗場表示器に対する電源供給源を切り換える電源遮断用点検スイッチと、を備えたことを特徴とするエレベータ用表示システムが提供される。
【０００９】
本エレベータ用表示システムは、前記乗場表示器は、エレベータの利用者が乗場で乗場呼びボタンを操作した場合に点灯して、エレベータが点検中である旨を表示することを特徴とする。
【発明の効果】
【００１０】
本発明によれば、主電源の遮断を伴う点検を行う場合であっても、各階の乗場に点検札を置くことなく、エレベータの利用者に点検状態であることを認識させることができる。
【図面の簡単な説明】
【００１１】
【図１】本発明の実施形態に係るエレベータ用表示システムの要部の構成を示す図である。
【発明を実施するための形態】
【００１２】
以下、本発明の一実施の形態について、図面を参照して説明する。
【００１３】
図１は、本発明の実施形態に係るエレベータ用表示システムの要部の構成を示す図である。図１に示すように、エレベータ用表示システムは、制御盤１０と、乗場表示器２０と、電源遮断用点検スイッチ３０を備えている。
【００１４】
制御盤１０は、主制御装置１１と、通常電源１２と、非常用電源１３を備えている。主制御装置１１は、エレベータ（図示しない）の運行制御を行うものである。通常電源１２は、主制御装置１１を働かすための電源である。非常用電源１３は、主電源である通常電源１２がＯＦＦとなったときのバックアップ電源である。非常用電源１３は、通常電源１２によって充電されている。非常用電源１３は、例えば、蓄電池が好適である。蓄電池は、充電を行うことにより電気を蓄えて電池として使用できる様になり、繰り返し使用することが出来る。鉛蓄電池は、正極（陽極板）に二酸化鉛、負極（陰極板）には海綿状の鉛、電解液として希硫酸を用いた二次電池である。正極から電解液中に硫酸が移動することで充電され、電解液中の硫酸が正極に移動することで放電を行う。また、アルカリ蓄電池であるニッケル水素蓄電池は、陽極に水酸化ニッケル、陰極に水素吸蔵合金、電解液に水酸化カリウム水溶液(KOH aq.)を用いた蓄電池である。尚、蓄電池の状態を常時監視するとともに、過充電保護回路を備えることが好適である。
【００１５】
乗場表示器２０は、例えば、表示用ＣＰＵ２１と各階毎の表示器２２を備えている。乗場表示器２０は、エレベータ乗場に設けられ、利用者の便宜のため、各種の表示を行うものである。表示用ＣＰＵ２１は、制御盤１０の主制御装置１１からの信号を受けて、表示器２２に所定の表示内容を表示させる。表示内容としては、乗りかごの今の最寄階、乗りかごの進行方向（上昇方向／下降方向）、満員等がある。本実施形態では、エレベータ利用者に点検作業状態である旨の「点検中」との表示が行える。表示器２２は、液晶やＬＥＤ等で構成することができる。
【００１６】
電源遮断用点検スイッチ３０は、常時は通常電源１２側にＯＮ状態にされ、通常電源１２を遮断して行うエレベータの点検時に非常電源１３側にＯＮ状態にされ、通常電源１２から非常電源１３へ乗場表示器２０に対する電源供給源を切り換えるものである。
【００１７】
例えば、電源遮断用点検スイッチ３０は、制御盤１０に設けることができる。また、乗りかご内に設けることも可能である。エレベータの点検作業を行うオペレータの操作性を考慮して設置場所を決定することが好適である。尚、電源遮断用点検スイッチ３０を乗りかご内に設ける場合には、エレベータの乗客が不用意に触れることのないように、例えば、スイッチボックス内に配設し施錠しておく。
【００１８】
電源遮断用点検スイッチ３０とは別個に設けられる通常の点検スイッチ（図示しない）を操作した場合は、制御盤１０の主制御装置１１から乗場表示器２０の表示ＣＰＵ２１に「点検中」指令を出して、各表示器２２に「点検中」の表示を行う。
【００１９】
通常電源１２を遮断してエレベータ装置の点検を行う際には、オペレータの操作によって、電源遮断用点検スイッチ３０を非常用電源１３側にＯＮとする。この場合には、非常用電源１３から乗場表示器２０に電力供給され、各表示器２２に「点検中」の表示を行うことができる。
【００２０】
尚、非常用電源１３側にＯＮとなっても、表示ＣＰＵ２１で制御を行い、エレベータの利用者が乗場で乗場呼びボタン（図示しない）の「▽」や「△」等をボタン操作した場合に、表示器２２に「点検中」の表示を行わせるようにしてもよい。そして、利用者が「点検中」であることを視認できるように所定時間だけ表示し、その後、消灯させてもよい。省エネルギーへの配慮である。
【００２１】
本実施形態によれば、主電源の遮断を伴う点検を行う場合であっても、各階の乗場に点検札を置くことなく、エレベータの利用者に点検状態であることを認識させることができる。
【００２２】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示された全構成要素から幾つかの構成要素を削除してもよい。さらに、異なる実施形態にわたる構成要素を適宜組み合わせてもよい。
【符号の説明】
【００２３】
１０…制御盤
１１…主制御装置
１２…通常電源
１３…非常用電源
２０…乗場表示器
２１…表示用ＣＰＵ
２２…表示器
３０…電源遮断用点検スイッチ
【図１】
2011195206.tif 000003